【手続補正書】
【提出日】平成20年1月4日(2008.1.4)
【手続補正１】
【補正対象書類名】明細書
【補正対象項目名】全文
【補正方法】変更
【補正の内容】
【書類名】     明細書
【発明の名称】    電気から熱抵抗電気を減らして、電気を長持ちさせ電気製品に無理をかけない電気装置の有り方。
【特許請求項の範囲】
【請求項1】
本発明は、超電導配線を使用しないで生の電気から熱電気つまり、電気から電気抵抗を、取り除く装置の説明であり、従って電気から熱電気抵抗を取り除かれた電気は、超電導配線なしでも超電導現象が起こせる装置でも有ります。
従って生の電気を、圧電素子つまり電子ライターの圧電素子磁石を、4分割に分けた考え方とします。
その上で圧電素子磁石の、プラス電磁極を陽電子素子体とします。又マイナス電磁極を、陰電子素子体とします。これらプラス及びマイナス磁石磁気極は、一番磁石吸引力の強い部分になります。更に圧電素子磁石の中央部分の圧電素子磁気力の弱い部分を、更に二つに区分
します。つまり、プラス磁気力の弱い部分を陽電子中間電子といいます。そしてマイナス磁気力の弱い部分を陰電子中間電子といいます。取り敢えず圧電素子磁石の4分割説明をしたうえで、生の電気を圧電素子の中央部分すなわち、生のプラス電気を圧電素子の陽電子中間
電子磁石部分に取り付けます。従って生のマイナス電気を、圧電素子の陰電子中間電子磁石
部分に取り付けます。まずここまでの説明が解った上で電気は、磁石化する事を、想い出してください。
小学校の授業で、鋼鉄に銅線を巻いた装置に電気を通す事で、ただの鉄が、電磁石化する事は小学校の授業教育の記憶が残っている人は、電気は磁気化する事を御存じだと思います。
つまり圧電素子磁石の中央部分にプラス配線マイナス配線の電気配線を、設けて電気をそれぞれ流します。生の電気は圧電素子磁石に通る際、生の電気の熱抵抗電気は、圧電素子の磁気力の弱い部分に溜まり、電気抵抗なしの電気は圧電素子プラスとマイナス磁石化すると考えられる。このままでは、圧電素子は、電気熱溜まりするため、もう二本の圧電素子陽電子中間電子プラス配線と圧電素子陰電子中間電子マイナス電気配線を、設けて、圧電素子の
中央部分に溜まった熱抵抗電気だけを、再びもう一つの圧電素子磁石体の電気熱取り除き
装置に再び熱電気を、流す作業によって熱電気再利用が出来ます。
以上の説明によって、熱電気は、再利用されます。 問題は圧電素子の最も磁気力の強い方に
流れた電気の説明つまり、本発明の電気から熱電気を、取り除いたつまり、生の電気から熱電気が、取り除かれると必然に圧電素子の磁気力の最も強い部分の陽電子からは、圧電素子の磁石力の一番強い電気が流れます。そして、圧電素子の陰電子部分からは、圧電素子マイナス磁気力の最も強い電気が、圧電素子磁石構造上説明から、圧電素子の中央部分にプラスそしてマイナス電気それぞれを流して、圧電素子の磁気力の一番強い部分から、電気熱の少ない圧電素子陽電子プラス電気と圧電素子陰電子マイナス電気が、生の電気から熱電気を、取り除いた状態で、つまり超電導状態の電気だけを、使用出来る電気抵抗取り除く事の出来る圧電素子磁気4分割装置。
【請求項2】
本発明の電気が圧電素子の中間部分に流れた電気は、圧電素子体電気抵抗熱電気と電気から熱電気を取り除かれた電気に分かれる事は、請求項1の説明通りです。
本発明の問題点は、圧電素子熱抵抗電気の再処理再利用の有り方にあります。熱電気は、あくまでも熱をおびた電気の事を言います。
このままでは、圧電素子磁石体の熱劣化が心配のため、圧電素子全体を冷却する必要があるため、圧電素子全体を、固形窒素又は液体窒素この他、液体ヘリューム又は固形ヘリュームなどの圧電素子全体を、冷やす事の出来る装置又は物質によって、圧電素子を4分割し、その上で圧電素子の中央部分に生のプラスとマイナス電気を流して、圧電素子の磁気力の強い電気すなわち圧電素子の陽電子磁気電気と圧電素子の陰電子磁気電気は、生の電気から電気抵抗を、取り除いた電気として使用して、圧電素子の中央部分すなわち、圧電素子の陽電子中間電子磁気電気と圧電素子の陰電子中間電子磁気電気のプラスとマイナスの熱電気を、再利用する場合圧電素子磁石体の急速劣化を、圧電素子磁石体全体を冷やす事で、圧電素子磁石体の中央部分に溜まった熱抵抗電気の再利用に必要な圧電素子体冷却装置を、備えた
圧電素子磁石体から発生する熱電気を、冷却処理するための冷却物質を、圧電素子磁気体全体を、すなわち熱磁気電気を冷却するために冷却物質を、設けた圧電素子磁気4分割装置。
【請求項3】
本発明の圧電素子磁石体を使用した圧電素子磁気4分割装置は、電気から熱抵抗電気だけを
取り除いて、熱抵抗電気を取り除いた電気だけを使用するため、圧電素子磁石体に3本のプラス配線と3本のマイナス配線が必要になります。
その内訳は生の電気を圧電素子磁石体の中央部分にプラスとマイナス配線それぞれを、設ける。
従って圧電素子磁石体の磁気力の一番強い圧電素子磁気の陽電子磁気プラス電気と圧電素子磁気の陰電子磁気マイナス電気それぞれから電気抵抗磁気の取り除いた圧電素子磁気電気を取り入れるための、陽電子プラス配線と陰電子マイナス配線の二つの配線が必要になる。
その上で圧電素子磁石体の中央部分に溜まった圧電素子熱磁気電気を、再利用するために
同じく圧電素子の中央部分の反対側に圧電素子磁石の陽電子中間電子プラス配線と圧電素子磁石の陰電子中間電子マイナス配線の二本の電気配線が、どうしても必要になります。
従って圧電素子磁石体を、使用した圧電素子磁気4分割装置には、6本の電気配線がどうしても必要になります。
すなわち圧電素子磁気4分割装置によって電気から電気抵抗を、取り除くためには、6本の電気配線を、備えた圧電素子磁気4分割装置である。
【請求項4】
本発明の圧電素子磁気4分割装置の説明として、生の電気から電気抵抗を、取り除く技術は、
圧電素子でなければ出来ない理由として、圧電素子磁石とは、圧電効果の大きいロシェル酸
チタン酸バリュームなどを、使用した圧力ー電気変換を、直接に行う素子を、つまり圧電素子に圧力を、かける事で、電子が飛び出す圧電素子磁石の特性を、生かした本発明の圧電素子磁気4分割装置を、複数使用する事で電気の中の電気抵抗分の電気を、圧電素子磁石に生の電気つまり、電気抵抗のある通常電気から、熱抵抗電気又は抵抗電気を、完全に取り除くために、圧電素子4分割装置を、複数使用して通常電気から、電気抵抗電気だけを、圧電素子磁気4分割装置を、使用して取り除き、電気抵抗電気の再処理を、繰り返す事で、無駄のない
電気利用方法つまり、圧電素子磁気4分割装置を、複数使用する事で、電気抵抗電気を、通常電気から取り除く事が、出来るため、高価な超電導配線を、使用しないで、スピード電気が使用出来て、超電導配線を、使用しても電気から電気抵抗を、取り除けなかった世界的電気事実を、覆したつまり電気を、マイナス温度まで下げなくても、通常温度でも、電気抵抗ゼロに出来る技術確立した全世界初の新発見そして、新発明の圧電素子磁気4分割装置である。  
【発明の繊細な説明】
【0001】
【発明の属する技術分野】
本発明は、電気から電気抵抗電気を、減らしたり取り除いたり圧電素子磁気4分割装置で、圧電素子磁石の持ち得る磁石効果によって、生の電気から電気抵抗を取り除き、圧電素子磁気4分割装置によって電気抵抗電気を取り除かれた抵抗電気を、再び別の圧電素子磁気4分割装置によって電気抵抗電気を、リサイクル電気として、活用した世界初の電気から、電気抵抗を、取り除く技術を、確立したばかりか抵抗電気のリサイクル再利用電気活用方法まで、確立したのは、特許請求項1から4までの説明で、ご理解出来たと思います。つまり、電気は、磁気化する特性を活用して電気を、磁気4分割に分ける事が簡単に出来る事が明白であり、
電気抵抗を、取り除かれた電気は、電気抵抗ゼロの電気として、超電導配線なしでも、高速電気が使用出来て、電気消費が少なくなる事実が明白である。
その上で、電気抵抗ゼロの電気を使用した充電技術によって、世界最速の充電技術が、確立出来る。
そればかりか、日本中だけでなく世界中の電気消費を、少なくする新技術発明を、確立した
事になる。
本発明の圧電素子磁気4分割装置は、電気の熱電気を取り除くのは、理解いただいた上で、つまり電気の波が乱れていても、圧電素子と言う物質は磁石のため、乱れた電気の波を圧電素子磁石に通す事によって、乱れた電気は熱電気つまり電気抵抗分の電気を取り除く事で、超電導現象と同じ理屈に電気抵抗を、取り除かれた電気は超電導と同じ事になる。
これら、圧電素子の乱れた電気を、磁気精製する技術応用して乱れた電波、 例えば磁場による電波障害を、起こした乱れた電波を、圧電素子磁気4分割装置に、電気同様に通すと、電波は、圧電素子磁石の特性によって、きちんとした正常な磁石電波に書き変わるため、奇麗な
映像を、小さな部品一つで、ハイビジョンに近い電波の乱れのないテレビ映像が、楽しむ事が出来る。 
【0002】
【従来の技術】
本発明は、電気中の熱電気つまり電気抵抗電気を取り除く事が、出来る装置である。従来の超電導物質配線によって、電気スピードを上げたとしても、電気中の電気抵抗は、取りのけずつまり、電気抵抗電気すなわち熱電気の要素を、含んだ電気そのままの電気が、流れるため、超電導配線電気であっても、電気製品の熱電気劣化は、何も変わらない。
その点、本発明の圧電素子磁気4分割装置は、電気中の熱電気すなわち電気抵抗電気を、取り除くため、超電導配線を使用しなくても、超電導電気が、得られるだけでなく、電気製品に
優しい電気つまり、熱抵抗電気の少ない電気使用のため、電気熱劣化の少ない電気製品使用が、可能になる。
【0003】
【発明が解決しようとする課題】
従来の超電導電気技術は、超電導物質配線を、使用したとしても、確かに電気スピードを、上げる事は出来たが、電気中の熱抵抗電気を、取り除く事が、出来ないため、電気製品の電気熱劣化又は電気熱による異常な故障になるのは、社会的事実トラブル事件が、続いてたのは、新聞テレビ公開事実であった。
又、ハイビジョン技術は、NHKの特許であるが、画像の乱れつまり、地上波は、磁場波の影響で
電波を、修復出来る技術としては、圧電素子磁気4電子分割装置使用かプラス極とマイナス極の持ち得る充電池素子又は電池素子に乱れた電波を、通して電波修復する技術つまり、磁場波の乱れた電波を、修復出来る技術は、この二つが、一番早い技術電波修復方法である。
この場合電池素子又は充電池素子のテレビ又は経済新聞発表は、2002年10月頃のはずです。
所が圧電素子磁気4電子分割装置の発明証明が出来る日付は、北海道庁郵便物日付発明日確認によって、2002年9月のため、本来特許法の第一条発明の保護そして、知的財産基本法の第一章に掲げられている項目が、正しければ国つまり、特許庁の特許提出に対しての考え方が
国民一人一人平等でない考え方つまり、特許認定とは、金つまり金と言う財産を、意味してます。
所が、特許の始まりイギリスでは特許認定まで、全額無料です。所が特許認定になってから
特許認定の料金が、かかるのがイギリスです。
現在の日本の特許提出は、国民一人一人が、発明しても、金の無い者は発明が、多く発明しても日本の国つまり、特許庁の考え方は、特許法の考え方でも無く、知的財産基本法の考え方でもない、金の有る者と工学つまり、発明の試験をいつでも、無料で出来る機関だけが、特許提出半額そして、無料の法律の平等な財産を、作る権利さえも、脅かしている事実である。
すなわち、発明が、保護されるならば、乱れた画像の修復装置は、墫野和夫の方が先になる。
又、電気自動車の急速充電技術は、水素ニッケルバッテリー充電は、30分以内だったのが、
更に短い時間でつまり、世界最先端の最速充電技術で、今までバッテリー走行は短い距離
しか、走れなかったのが、ダイナモ充電の急速充電、又はソーラーパネルの補助急速充電技術によって、今まで以上のバッテリー電気自動車走行が、可能になる。
そして、世界中の電気製品の電気使用時間が超電導配線より安い料金で電気使用時間が長くなる。
更に本発明は、電気中から熱抵抗電気を、取り除き更に再利用電気として電気再利用活用するのは明らかであるが、電気中から、熱抵抗電気を取り除いたつまり、電気抵抗の無い電気を高価な超電導配線料金を、払わなくても低価格で、超電導電気を得る事が出来る事実は、
特開を、読む特許庁職員又は特許庁長官又は経済産業庁長官は、全世界に省エネルギー技術の推進のため、産業の発展に努めるべきである。
理由としは、国と地方の借金が増えて行くばかりであるのが、事実であって、国民の生活水準が、上がるとは、国又は地方の財政つまり、借金ゼロにならない限り借金を払って行かなければならない事実であるからである。
【0004】
本発明は通常の電気を家庭に使用される100ボルトの電気中の熱抵抗電気を、取り除く方法として、圧電素子磁石つまり、本発明の特許請求項に書かれている圧電素子磁気4電子分割装置の使用に基ずいて説明します。
本発明の圧電素子のプラス電極側のプラス磁気力の一番強い部分を、圧電素子の陽電子素子体と言います。又、陽電子素子体を圧電素子磁石を、4分割した場合プラス磁石極の一番磁気力の強いすなわちプラス磁石極が、圧電素子磁石の陽電子素子体とします。これと反対に
本発明の圧電素子のマイナス電極側のマイナス磁気力の一番強い部分を圧電素子の陰電子素子体と言います。又、陰電子素子体を圧電素子磁石を、4分割した場合マイナス磁石極の一番磁気力の強いすなわちマイナス磁石極が、圧電素子磁石の陰電子素子体とします。これで
陽電子素子体と陰電子素子体が理解された上で、残る圧電素子磁気4電子分割の残る中央部分の説明をします。
本発明の圧電素子磁気4電子分割装置の中央部分を、すなわち圧電素子磁石のプラス磁気極の磁石力の最も弱い部分すなわちプラス磁気極の中央よりの圧電素子磁石の名前を、圧電素子の陽電子中間電子と言います。又、これと正反対の圧電素子磁石のマイナス磁気極の磁石力の最も弱い部分すなわちマイナス磁気極の中央よりの圧電素子磁石の名前を圧電素子
の陰電子中間電子と言います。これで圧電素子磁石を、4分割した場合の部分名称が、理解した上で説明を続けます。
本発明は超電導配線超電導電気技術でも、でき得なかった電気中の熱抵抗電気取り除き技術すなわち、圧電素子磁石を、4分割に分けて磁気電気として、通常電気を、区別して取り出す技術でも有ります。
電気は、磁気化する事は、小学校の理科の授業で、習った事を思い出して考えて見てください。
つまり電気は、コイルを鋼鉄に巻くことで、磁気極化する事実は、誰をも知り得る事実です。
しからば、通常電気は熱抵抗電気を含めて磁石化するのも、電気は、ただコイルを流れるだけなのですがコイルに流れた電気は、すべて電磁石化するのも、ご理解いただけたと思います。すなわち電気を一度、圧電素子磁石電磁気化する事が、電気を区別するために絶対に必要な電気を圧電素子磁気4分割する技術なのです。圧電素子は、名前の通り電気を圧縮した物質の素子体であり、圧力ー電気変換を、直接行える素子体とも、辞書説明の意味も、理解していただきたく書き止めました。
圧電素子を、理解していただい上で、本発明の圧電素子磁気4分割装置は、通常の生の電気つまり家庭電気として使用している１００ボルトの電気を、超電導状態に電気を流すため、又超電導物質配線を、使用しないで圧電素子磁気4分割装置を、使用して通常電気を、圧電素子磁石に通す事で、生の電気を圧電素子磁石にプラス電気マイナス電気を通す事で、電気が、圧電素子磁石電気分割させる事によって電気のエネルギーを磁気変換させて、強い磁気電気と弱い磁気電気の二種類にプラス電気マイナス電気を、磁気変換区別する事によって、
熱抵抗電気を、通常の生の家庭電気中から、圧電素子磁気4分割装置を使用する事によって
今まで無理とされた来た電気中の熱抵抗電気を、通常電気温度で、熱抵抗電気だけ取り出す事に成功しただけでなく、超電導配線を使用しなくても超電導電気が、得られるつまり、通常電気温度で、電気抵抗ゼロの電気をマイナス低温でなく、通常電気温度で、通常家庭電気中から熱抵抗電気だけを、圧電気素子磁気4分割装置で、電気磁気分割区別して、熱抵抗のない速い圧電素子磁気電気つまり圧電素子陽電子磁気電気と圧電素子陰電子磁気電気だけを、超電導電気として使用して、今まで電気の中から抵抗電気でけ取り出す技術がなかったため、無理とされた来た技術によってつまり、熱抵抗電気の再処理として、再びもう一つの圧電素子を、固形窒素などで冷やした圧電素子磁気4分割装置に再び熱抵抗電気を、通して熱抵抗電気の圧電素子磁石分割によって再び圧電素子磁石の強い電気と圧電素子磁石の弱い電気に分けて、熱抵抗電気のリサイクル電気再処理技術の構築によって熱抵抗電気のリサイクル電気化が可能になった。
【0005】 
【課題を解決するための手段】
本発明では超電導技術でも、なし得なかった電気中の熱抵抗電気を、零下マイナス超電導温度まで、電気温度を下げなくても通常の電気温度でも超電導電気として超電導物質配線を使用しなくても超電導電気使用出来るのが特徴である。
理由は、一般の家庭電気配線を、流れる電気中の熱抵抗電気だけを取り除く技術すなわち圧電素子磁石を、使用した電気を一度磁気変換した電気を、熱抵抗電気の集まる磁気電気と、熱抵抗電気の集まらない圧電素子磁石力の強い磁気電気を、圧電気素子磁気4分割方式で分ける技術によって現代までの世界最高レベルの科学技術でも、出来なかった超電導電気にするためには、電気を、零下マイナス超電導電気温度まで下げるか、もしくは超電導物質電気配線を使用して電気を、スムーズムに流す方法が、公開の場での超電導電気技術であった
のは、特許庁の人間だけでなく一般庶民でも良く知られた技術であった。
だが、超電導電気を得るため、電気を一度冷やして送電しても、長い電気配線距離を、電気が
通ると、零下マイナスまで冷やされた電気でも、普通の電気に戻るのは、言うまでもない。
又、電気を冷やして超電導電気にするために、冷却物質配線に日本中の電気配線を、すべて変えた場合この事業にかかる莫大な費用は超電導電気を得るには、高価な買い物になる。
又、超電導物質電気配線に日本中の電気配線を、変えた場合でも、莫大な超電導物質配線交換工事費用は、超電導電気を得るには、高価な買い物なのは、考える必要がある。
これら、莫大な費用つまり、超電導電気を得る為に使われる費用と時間を、わずかな費用で済ませるための世界初の新技術として、圧電素子磁石を使用した通常電気を、一度電気磁気変換させて、通常電気を、熱抵抗電気が集中した圧電素子磁気電気と磁気力の強い圧電素子磁気電気に電気圧電素子磁気分割する技術は、世界初の新技術なのは、おそらく特開を読まれる方は、電気中の熱抵抗電気を、取り出すには、電気を一度磁気電気に変えて、熱抵抗の溜まる電気磁気の弱い圧電素子磁石の中央部分と電気磁気の強い圧電素子磁石のプラス磁気極とマイナス磁気極の最端部の電気が圧電素子磁石磁気変換した一番磁気力の強い部分に、電気を圧電素子磁気4分割世界初新超電導電気技術によって、電気配線を変えず、長い距離の電気配線を、冷却する事もしなくて良い、安い技術で電気中の電気から熱抵抗電気を、取り除く技術は、理解していただいたと思います。
更に、通常電気から圧電素子磁気4分割装置によって、熱抵抗電気だけ取り除かれた事で、超電導電気は、常温電気温度でも、そして普通の銅線でも、超電導電気は、流れる事実は、今までの説明で、理解していただけたと思います。
問題は、残された熱抵抗電気の処理ですが、このままの状態で、もう一つの圧電素子磁気4分割装置に残された熱抵抗電気を、再び再処理電気として、電気リサイクル使用する技術を、説明する上で、圧電素子磁石の劣化防止として、又電気温度が、上がり過ぎるのを、防ぐために圧電素子磁気4分割装置全体を、固形窒素又は液体ヘリュームなどの冷却装置によって熱抵抗電気の再処理方法として、圧電素子磁石の劣化防止を、最優先しているのが特徴でもある。
圧電素子磁気4分割装置を、高温劣化防止対策として固形窒素又は液体窒素又は液体ヘリューム又は固形ヘリューム物質説明としては、石膏又は炭素などと液体ヘリュームと混ぜ合わせた物質又は石膏又は炭素の中央部分に液体ヘリュームを内蔵した物質などによって圧電素子磁石の劣化防止に努める。これら圧電素子磁気4分割装置の劣化防止に努める事が、より長く通常電気から、熱抵抗電気を取り除く技術の圧電素子磁気4分割装置部品交換の時間を、より長くする技術である。
これら圧電素子磁石を、電気熱温度から保護する技術によって、熱抵抗電気は繰り返し圧電素子磁気4分割装置によって、今まで不可能だった通常電気中の熱抵抗電気を、取り除いて
熱抵抗電気再処理技術まで、確立した世界初の本当の超電導電気を作り出す圧電素子磁気4分割の超電導新技術である。
【0006】             2007年9月20日(木)PM19時54分38秒から足立で書く。
【発明の実施の形態】      2007年9月25日AM7時43分55秒から南花畑で書く。
発明の形態を図面を参考にして説明する。
本発明の趣旨は、通常電気中の熱抵抗電気を圧電素子磁石を使用して電気抵抗を取り除く技術発明を図1に基ずいて説明します。
従って圧電素子磁石体(1)を、圧電素子磁気4分割装置(21)に磁石区分した考えかたに於いて、通常電気つまり、プラス電気配線(6)とマイナス電気配線(7)を、圧電素子磁石体の磁気力の弱い部分S磁極 N磁極にプラス電気S磁極配線(6)とマイナス電気N磁極配線(7)を、それぞれの銅版電気配線止め金(18,19)で止める。通常家庭電気100ボルトのプラス電気(6)は、圧電素子磁石体(1)の磁石力の弱い部分陽電子中間電子磁石体(4)にプラス電気が通る。マイナス電気(7)は、圧電素子磁石体(1)の磁石力の弱い部分陰電子中間電子磁石体(5)にマイナス電気が通る。圧電素子磁石体に通った電気は、磁気化するのは、電磁石が通常の鉄又は鋼鉄にコイルを巻いて電気を、流す事だけで電気が電磁石化になる事実説明は、小学校の理科の勉強で明らかであります。
尚且つ電気が、コイルを巻いた鉄又は鋼鉄によって電気が、磁気変化する事実は、既に明らかな事実である。そのため圧電素子磁石体にコイルを、巻いても巻かなくても圧電素子磁石構造から、又広く電気変換を直接行える素子として辞典でも明記される程の磁石のため、電気が、瞬間磁気変化するのは明白な事実で有り、圧電素子磁石の電気瞬間磁気化の事実を受けてこれら通常電気が、圧電素子磁石に電気を通す事で、圧電素子磁気変化する事実を踏まえての通常電気温度でも、超電導電気が出来る説明の続きに入る。
更に通常電気の熱抵抗電気は、抵抗電気のため、電気配線を設けた圧電素子磁石の磁気力の弱い部分に溜まります。
問題は、磁石力の強い電気は圧電素子磁石の一番磁石力の強い圧電素子磁石陽電子素子体
部分に磁極状に連なって集まりつまり、(2)の圧電素子磁石のS磁極部分すなわち圧電素子磁石のS磁極の一番端の部分に磁石力の最も強いS磁極磁気電気部分にあたります。
ただしプラス圧電素子磁気力の一番強い部分すなわち圧電素子磁石の最も端の部分すなわちプラスS磁極にしか圧電素子磁石の陽電子素子体(2)に対しての一番最も強い圧電素子プラス磁気体部分は、その部分にしか磁気構成上成りません。
又プラス陽電子電気配線(8)からは熱電気抵抗を、取り除いた電気が圧電素子磁気4分割装置(21)によって通常プラス電気(6)を通す事によってプラス熱電気抵抗を取り除いたプラスS磁極電気を、圧電素子プラス磁極側では、電気抵抗ゼロのプラス電気を圧電素子の電気磁気化による圧電素子磁気4分割(21)電気磁極区別する事が可能に成ります。
又マイナス電気の熱抵抗電気は、同じく圧電素子磁石の磁気力の弱い部分に溜まります。
尚マイナス電気の磁気力強い電気は圧電素子磁石の一番磁石力の強い圧電素子磁石陰電子素子体つまり(3)の圧電素子磁石のN磁極部分にあたります。ただしマイナス圧電素子磁石の陰電子素子体(3)に対しての一番最も強い圧電素子マイナス磁気体部分は、その部分にマイナス陰電子電気配線(9)として電気配線を設ける。その上で通常のマイナス熱電気抵抗は、圧電素子磁気4分割装置の中央部分の電気配線(7)にマイナス通常電気を流す事によってマイナス熱電気抵抗を取り除いた電気抵抗ゼロのマイナス電気(9)を、得る事が可能に成ります。 
これら圧電素子磁気4分割装置(21)によってプラス熱電気抵抗及びマイナス熱電気抵抗を取り除く事が、可能に成ります。この新発明技術は、通常電気を、決められた温度まで、電気冷却しなければ電気抵抗を、ゼロに出来ない事実上の世界的知られた理論を、越えた通常電気温度でも、電気抵抗ゼロの電気を作り出せる圧電素子磁石を使用した簡単な圧電素子磁石の応用事実が、今までの電気社会説明を、越えた省エネルギー改革発明になります。
本発明の電気抵抗ゼロの電気を、圧電素子磁気4分割装置(21)によって、熱抵抗電気を取り除いた電気を通常電気温度で得る事は明確になった上で、圧電素子磁石の中央磁石体部分に集まった、熱磁気抵抗電気の処理方法を説明する。
コイルを巻いた圧電素子磁石に電気を通し続けるとコイル電気抵抗の蓄積で、圧電素子磁石装置つまり、圧電素子磁気4分割装置(21)の冷却を急ぐ必要なのは、誰が考えても明らかである。
そのため、圧電素子(1)全体を、冷却装置又は冷却物質で冷やす必要があるため、コストの安く済む固形窒素又は液体窒素が、低価格のため使用する事とする。確かに冷却では、液体ヘリューム又は固形ヘリューム が適切なのだが、高値のため、今回は、固形窒素を、圧電素子(1)全体に包む様に巻いて、圧電素子(1)の冷却を図りました。
これら圧電素子(1)の冷却方法を説明した上で、圧電素子磁気4分割装置(21)の中央部分の圧電素子の陽電子部分(4)に措いての圧電素子の中間電子部分と圧電素子の陰電子部分に措いての圧電素子の中間電子部分(5)に措いてのそれぞれの電気配線(6,7)に通常電気を通す事で、通常電気それぞれは、圧電素子磁石化したと言います。
前にも説明した通り、通常電気の熱電気抵抗は、圧電素子(1)の中央部分(4,5)に集まり圧電素子(1)の磁気力の強い部分に、熱電気抵抗の取り除かれたプラス陽電子電気配線(8)からは、超電導プラス電気が得られて、圧電素子(1)の磁気力の強い部分に熱電気抵抗の取り除かれたマイナス陰電子電気配線(9)からは、超電導マイナス電気が得られる事実は、圧電素子磁気4分割装置(21)に通常電気を、通す事によって、電気圧電素子磁気4分割(21)して電気磁気区別する事で、通常電気中の熱電気抵抗を、通常電気温度でも、取り除ける事が、理解していただけたと思います。
しかし、圧電素子(1)は、圧電効果の大きなロシェル塩・チタン酸バリウームを、使用するため、鉄又は鋼鉄などより、熱に対して脆いため、圧電素子全体を冷却する必要があるまでの事を理解していただいた上で、圧電素子(1)に取り残された熱抵抗電気の処理方法を、再び説明する。
本発明の圧電素子磁気4電子分割装置(21)によって熱電気抵抗が、圧電素子(1)の陽電子部分に措いての圧電素子の中央部分すなわち陽電子中間電子(4)の熱抵抗電気(10)と圧電素子(1)の陰電子部分に措いての圧電素子の中央部分すなわち陰電子中間電子(5)の熱抵抗電気(11)の処理方法として、もう一台の冷却装置の整った圧電素子磁気4分割装置(21)に再び熱抵抗電気を通す事すなわち熱抵抗電気の再処理化言い換えれば圧電素子(1)の中間電子体の熱抵抗電気の電気リサイクル化をしたと言います。
つまり熱抵抗電気(10,11)は、言い換えれは熱と電気の組み合わせのため、熱と電気を再び切り離して電気の再利用化する事が、熱抵抗電気の処理の一番早い方法である。
上記のそれぞれの圧電素子磁気4電子分割装置(21)の使用方法の説明によって、超電導電気とは通常電気から、熱抵抗電気を取り除いた電気の事を言うかもしくは、通常電気を、急激に超電導電気温度まで下げる今までの超電導電気の有り方そして、超電導物質配線を、使用した超電導電気の3種類が、現在考えられる超電導技術の有り方の三つ目を、新発明考案した事を、ご理解していただきたい。
又超電導物質配線を、使用した電気でも、電気中の熱抵抗電気を、取り除けませんでした。
又、超電導温度まで、冷やした超電導電気を、長い電気配線を通ると、再び通常電気化してしまい長い間冷却電気を、使用した場合でも、電気中の電気消費熱は、取り除けません。
これら、超電導電気コストと通常電気中の熱抵抗電気を、取り除いた世界的新技術発明考案です。
これでも理解出来ない方は、経済産業庁又は文部科学省などの工学の有識者又は名誉博士などの、電気と超電導技術の詳しい人又はマスコミ情報社会の知識人に説明を、受ける様に勧めます。
【0007】
図2の発明の形態を説明する。
図1で、圧電素子磁気4分割装置(21)全体の発明の形態の説明をしましたが、圧電素子(1)が、
どの様な物又は物質なのか分からない方又は圧電素子磁気4分割装置(21)の内部構造が、わからない方のために、圧電素子磁気4分割装置(21)を半分にした図を、持って発明の形態を
説明する。
図2の中央部分は、本発明の主役つまり、必ず必要な圧電素子(1)を半割りにした図2です。この圧電素子とは、広く一般に100円電子ライターの発火元の電子火花発生装置に持ち入れられている電子ライターの石の事を、圧電素子と言います。英語名PIEZOELECTRIC  ELEMENT
辞書を見て直訳すると粉で包んだ電気じかけの又は電流の成分は、辞書で分かりましたが、
圧電素子とは、電子ライターの石であり、磁石で有る事は、当初墫野和夫自身が中学3年の時
友達同士のいたずらで、変わった磁石物質が、ある事を子供ながら覚えてたため、本発明の
きっかけになりました。圧電素子の能力を、しっかり理解して発明の形態を読んで下さい。本発明の圧電素子(1)の構造が、鉄又は鋼鉄に巻いた電磁石とは丸っきり、異なった物質つまり、圧電効果の大きなロシェル塩・チタン酸バリュームは、鉄又は鋼鉄などの磁石成分とは、はっきり異なり、一番の圧電素子磁石の特徴は、圧力ー電気変換を、直接行える素子と辞書に書かれている通り、磁極変換なども、瞬間にコイルを巻かずに行える素子だった事は、
圧電素子(1)磁石体に圧力を、かけると電子が、飛び出るすなわち発生する事実を、踏まえて
圧電素子(1)磁石とは、電子電気の集合体である事は、他の鉄磁石及び鋼鉄磁石とは、掛け離れた特徴を、持っている事にも、本発明を読むにあたって視野に入れていただきたく辞書にない部分も本発明の説明に必要なため書き止めました。
問題は通常電気が、圧電素子(1)の中央部分のつまり圧電素子(1)の一番磁石力の弱い部分から、通常電気をプラス電気配線(6)とマイナス電気配線(7)から、最初に通常電気を、流さない限り本発明の原理は、成立しません。この部分が、良く理解いただけなければ、本発明の
圧電素子(1)を、使用した原理は、理解出来ません。
例えば圧電素子(1)の磁石力の一番強い部分つまり、圧電素子(1)磁石の両端に通常電気の取り入れ配線を、取り付けても、圧電素子(1)磁石の中央部分の圧電素子磁石の磁石力の弱い部分にしかつまり遅い電気すなわち熱抵抗電気は、磁石構成上集まらない理由から圧電素子(1)の磁石体でもある電気電子の集合体としては、遅い電気は、圧電素子(1)の磁石の中央部分即ち、圧電素子(1)磁石の中央部分から電気配線(6,7)を取り付けて電気抵抗なしの電気を得る考え方に措いて、100パーセント電気抵抗は、とり除けません。
即ち圧電素子(1)の陽電子体即ち中間電子体(4)として要するに、磁気力の弱い電気電子集合体の圧電素子(1)磁石体の部分と圧電素子(1)磁石の中央部分即ち圧電素子の陰電子体の中央部分名称として陰電子中間電子(5)としている理由として、圧電素子とは、電気電子の磁石体の集まりのうち磁力スピードの遅い磁石の集まりとも、考えられるのも、圧電素子(1)が、圧電効果の大きい磁石体でもある事です。
つまり、電気又は電子の遅い部分は、圧電素子(1)磁石の磁石力の弱い中央部に集まり、電気又は電子の早い部分は、圧電素子(1)磁石の磁気力の強い圧電素子(1)磁石の両端部分に集まると考えて良いはずです。
問題は、圧電素子(1)に通常電気を、圧電素子磁石の中央部分(4、5)に電気配線(6,7)を銅板で取り付けた場合。そして通常電気を、圧電素子磁石の磁気力の弱い部分に遅い電気が、集まり早い電気は、圧電素子(1)の磁気力の強い部分に集まるのは、電気が、圧電素子磁石化した場合、この様に推測しなければならないのは、圧電素子(1)は、鋼鉄磁石などと異なる内部構造のため、鋼鉄電磁石は、磁石化したと確かに言います。
ですが、鋼鉄電磁石からは、電気も、電子も、飛び出ないのは、鋼鉄電磁石は、圧電効果とは、書かないつまり、なり得ない即ち吸引力の強い永久磁石までで有ったとしか言えないからで有り、本発明の電気から熱抵抗電気を、取り除ける技術は、圧電素子同様の電気電子集合体ならば、おそらく圧電効果も、発生するため、本発明の電気から、熱抵抗電気を、取り除く
同じ現象を、確認する事となるのは、言うまでもない。
図1そして図2に書かれている電気配線の通常電気の流し方を、間違えると、通常電気中の熱抵抗電気取り除き技術は、成立しませんので、本発明を読んで超電導の電気知識を、広めたい方は、御注意して下さい。
確かに鋼鉄にコイルをかぶせて鉄を再び被せる技術でも、おそらく通常電気から熱抵抗電気を取り除く技術としても無理ですが、圧電素子を、内蔵した鋼鉄磁石ならば、成立します。
同じ磁石を使用しても、磁石が異なった物質のため、通常電気から熱抵抗電気を、取り除けた技術発明は、圧電素子自体を、発明した人に未知なるすばらしい発明だとエールを、送りたい。そして届いてたら永遠の幸福の夢ありがとうと伝えたい程に圧電素子は、今後更なる
発展を、遂げるはずです。
最後に誰もが知り得る超電導技術を、熱電気再処理技術に応用しただけの簡単な安値の冷却物質として、リサイクル戻りマイナス冷却装置(16)は、我々貧乏な庶民でも、安値で手に入る固形窒素を、使用しました。特許文章としての図面説明は、使用する特許部品の数が、少ないため、新しい発明考案技術でも、簡単に理解出来ると思います。
本発明の圧電素子磁気4分割装置(21)を半割りした技術説明ですが、問題は圧電素子(1)の特性をどれだけ理解出来ているかが、本発明を何度も読む人に圧電素子(1)のまず一歩目は、圧電素子の特性理解に、勉めていただきたい。
結論として、圧電素子磁気4分割装置(21)が、最低二つ必要であって、この二つの圧電素子磁気4分割装置(21)に通常電気を流す事で、今まで誰も知り得なかった超安値で、手に入る超電導電気技術のみ成らず超電導電気として、流れる電気からさえも、熱抵抗電気を、圧電素子ひとつで簡単に取り除けた世界最初の新発明技術である。
【0008】
【発明の効果】
本発明は以上説明したように構成されているので以下に記載されるような効果を奏する。
【0009】
通常電気を、圧電素子磁気4分割装置によってプラス電気を、圧電素子磁石の陽電子素子体電気と圧電素子磁石の陽電子中間電子素子体電気のプラス電気を二つに分けてマイナス電気を圧電素子磁石の陰電子素子体電気と圧電素子磁石の陰電子中間電子素子体電気のマイナス電気を二つに分ける事によって初めて通常電気に於いて熱抵抗電気と熱抵抗電気の入ってない超電導電気に分ける事が世界で初めて可能にした。
【00010】
圧電素子磁気4電子分割装置を、理解したうえで、熱抵抗電気の再処理技術に於いて圧電素子磁気4分割装置を固形窒素冷却する事で、圧電素子磁気4分割装置の圧電素子磁石体の温度劣化を防いでいる。
【00011】
圧電素子磁石体に通常電気を、通す事で発生する圧電素子磁石体電気の4つの内の二つつまり圧電素子の陽電子中間電子素子体電気と圧電素子の陰電子中間電子素子体電気の熱抵抗電気だけ通常電気中から取り除いてリサイクル電気として再利用電気として再び超電導電気として、活用出来る。
【00012】
圧電素子磁気4分割装置を、使用した電気製品によって超電導電気で、電気製品が使用出来て、今までの、家電製品の電気の熱溜まり事故を防げる。
【00013】
圧電素子磁気4分割装置をする事で、今まで充電池及びバッテリー充電時などに発生していた熱溜まり現象を、解消した熱抵抗電気を取り除いた超電導電気による超高速充電技術が確立出来た。
【00014】
圧電素子磁気4分割装置を、使用する事で超電導物質配線を使用しなくても超電導電気が、使用可能になる。
【00015】
世界最高速列車つまり、リニアーモーターカーの連続した超電導最高スピードを、可能に出来る圧電素子磁気4分割装置である。
【00016】
圧電素子磁気4分割装置の特性によって乱れた電波の圧電素子磁石磁気精製技術にも、使用出来るため、今まで磁波の乱れによって生じた電波の乱れを、正しく簡単に直す事が出来る。【00017】
最近ニュースマスコミで騒がれて来た、銀行のコンピューターの多度の使用による電気熱溜まりによる機械故障を防げる。
【00018】
今までのモーター最高スピードを、越えたスピードーを、連続したモーター使用が、モーター焼き付けなしで可能になる。
【00019】
現在の世界の電気常識では、電気を、決まっているマイナス温度まで、電気冷却しなければ電気中の電気抵抗は、取り除けないのが、今までの常識で有り、長い配線を、超電導電気が伝わったり、長い間した冷却超電導電気を、電気商品が使用した場合電気熱が、発生しやすい欠点も除けなかったが、本発明の圧電素子磁気4電子分割装置によって得られる熱抵抗を、あらかじめ取り除いた電気は、熱溜まりが少なく未来を、引っ張って行ける超電導電気技術である。
【00020】
本発明の圧電素子磁気4分割装置の世界初の常温電気の中から電気熱抵抗電気だけ、電気常温で、取り除ける技術を発明考案したため、反対の発想技術として、物体の熱を電気抵抗なしの電気を、通す事で、電気が、電気熱を吸収させて、電気熱だけ取り出してエネルギー活用出来る新しい電気の考え方の有り方を、いちずける事が可能になった。
【00021】
本発明の圧電素子磁気4分割装置の世界初の常温電気から、熱抵抗電気が、取り除ける技術
が、発明考案されため、電気分子を分ける学問の進歩つまり、熱抵抗電気の含まない電気によって今まで、熱抵抗が、無駄に発散されっぱなしで、無駄に成ってきたエネルギー開発分野などの新しい発想ならでわの例えば、北海道庁発明考案文章提出の圧電素子磁気4分割装置を、使用した水素と酸素の電気スパーク発電技術つまり、水素中の熱抵抗の多い重水素中のプルトニュームの結び付きを、熱抵抗なしの超電導電気で、水素分子を切り離す事によって、水素と酸素の発電率を、上げる世界で初めての新しい無害な発電技術によって、現在の電力不足の解消を図りたい。そのためには、経済産業省及び資源エネルギー庁及び国土交通省並びに文部科学省更に公害等調整委員会更に特許庁の世界全体に於いて墫野和夫と同じ早期同一発明の早期公開説明が、急がれる。
【図面の簡単な説明】
【図1】
圧電素子磁気4電子分割装置の部分部品及び物質名説明図面
【図2】
圧電素子磁気4電子分割装置の半割り図に措いての部分部品及び物質名説明図面
【符号の説明】
1   圧電素子   (圧電素子磁石)圧電効果の大きいロシェル塩・チタン酸バリューム
2   陽電子素子体   (圧電素子磁石の一番強いプラスS磁極部分)
3   陰電子素子体   (圧電素子磁石の一番強いマイナスN磁極部分)
4   陽電子中間電子 (圧電素子磁石の一番弱いプラスS磁極部分)
5   陰電子中間電子 (圧電素子磁石の一番弱いマイナスN磁極部分)
6   圧電素子磁石の陽電子中間電子の電気配線
7   圧電素子磁石の陰電子中間電子の電気配線
8   圧電素子磁石の陽電子磁石部分の電気配線
9   圧電素子磁石の陰電子磁石部分の電気配線
10  リサイクル陽電子中間電子プラス電気配線
11  リサイクル陰電子中間電子マイナス電気配線
12  電気抵抗取り除き装置大型止め金装置      (圧電素子磁気4電子分割装置止め金装置)13  電気抵抗取り除き装置大型止め金装置穴
14  プラス圧電素子磁石の陽電子固形窒素冷却装置
15  マイナス圧電素子磁石の陰電子固形窒素冷却装置
16  リサイクル戻り電気冷却装置
17  圧電素子磁石の陽電子中間電子の電気配線銅板止め金装置
18  圧電素子磁石の陰電子中間電子の電気配線銅板止め金装置
19  圧電素子磁石の陽電子磁石部分の電気配線銅板止め金装置
20  圧電素子磁石の陰電子磁石部分の電気配線銅板止め金装置
21  圧電素子磁気4分割装置
【手続補正２】
【補正対象書類名】図面
【補正対象項目名】全図
【補正方法】変更
【補正の内容】
【図１】
2004304992.tif 000001
【図２】
2004304992.tif 000002